(57)【要約】【課題】  構造が簡単にして廉価であり、プリント用紙が搬送路にある隙間にはいりこむことがなく、仮にはいりこんだ場合においても簡単に修復することができる発券プリンタを得る。【解決手段】  本体と、該本体に取り付けられプリント用紙にプリントするためのプリントヘッドと、該プリントヘッドとの間に前記プリント用紙を保持すると共に該プリント用紙を搬送するためのプラテンと、該プラテンを回転自在に保持するプラテンホルダと、前記プラテンに対向して前記プラテンホルダに配設され該プラテンホルダと前記プラテンとの間にはいりこんだ前記プリント用紙を検出するための用紙ジャミング検出手段を設ける。【選択図】        図８
2005246906.tif 000002
【特許請求の範囲】
【請求項１】
本体と、該本体に取り付けられプリント用紙にプリントするためのプリントヘッドと、該プリントヘッドとの間に前記プリント用紙を保持すると共に該プリント用紙を搬送するためのプラテンと、該プラテンを回転自在に保持するプラテンホルダと、前記プラテンに対向して前記プラテンホルダに配設され該プラテンホルダと前記プラテンとの間にはいりこんだ前記プリント用紙を検出するための用紙ジャミング検出手段を有することを特徴とする発券プリンタ。
【請求項２】
前記用紙ジャミング検出手段が、前記プラテンホルダと前記プラテンとの間にはいりこんだ前記プリント用紙を検出すると、前記プラテンは前記プリント用紙の搬送を停止するように構成されていることを特徴とする請求項１記載の発券プリンタ。
【請求項３】
前記用紙ジャミング検出手段は、フォトインタラプタであることを特徴とする請求項１記載の発券プリンタ。
【請求項４】
前記用紙ジャミング検出手段は、リミットスイッチであることを特徴とする請求項１記載の発券プリンタ。
【請求項５】
前記プラテンホルダは、前記本体に対して開閉できるように回動自在に取り付けられている蓋体に取り付けられていることを特徴とする請求項１記載の発券プリンタ。
【請求項６】
本体と、該本体に取り付けられプリント用紙にプリントするためのプリントヘッドと、前記本体に取り付けられ前記プリント用紙を切断するための移動刃を有する用紙カッタと、前記本体に対して開閉できるように回動自在に取り付けられている蓋体に取り付けられ前記移動刃と協働して前記プリント用紙を切断するための固定刃とを有し、前記用紙カッタには、該用紙カッタの内部に前記プリント用紙が入り込むことを防ぐためのカッタカバーが設けられ、前記蓋体には、前記固定刃の上部に前記プリント用紙が入り込むことを防ぐための固定刃カバーが設けられていると共に、前記蓋体には、前記プリントヘッドとの間に前記プリント用紙を保持すると共に該プリント用紙を搬送するためのプラテンと、該プラテンを回転自在に保持するプラテンホルダと、該プラテンホルダと前記プラテンとの間にはいりこんだ前記プリント用紙を検出するための用紙ジャミング検出手段を有することを特徴とする発券プリンタ。
【請求項７】
本体と、該本体に取り付けられプリント用紙にプリントするためのプリントヘッドと、該プリントヘッドとの間に前記プリント用紙を保持するためのプラテンと、該プラテンを回転自在に保持するプラテンホルダと、前記プラテンホルダに配設され該プラテンホルダと前記プラテンとの間に前記プリント用紙がはいりこまないように防止するためのジャミング防止部材とを有することを特徴とする請求項１乃至請求項６記載の発券プリンタ。
【発明の詳細な説明】
【技術分野】
【０００１】
本発明は、プリント用紙のジャミングを防止する発券プリンタの構成に関する。
【背景技術】
【０００２】
従来から記録紙、レシート、およびチケット等の発行を行う発券プリンタがある。このような発券プリンタにおいては、専用オペレータのみではなく、一般不特定ユーザーが操作することにより、プリントされて排出口から排出されてくるプリント用紙をつかんでしまうことがあり、搬送されている途中でその搬送を阻害されると、プリント用紙は搬送経路の途中の隙間にはいりこんでしまうことがある。
【０００３】
図９、図１０、図１１、および図１２を用いて従来技術について説明する。図９は、従来におけるロール紙プリント装置の主要な断面の状態を示す主要断面図である。図１０は、図９に示す矢視Ｃの状態を拡大して示す断面詳細図である。図１１は、プリント用紙１１４の排出が阻害されて、用紙折曲部１１４ｂがプラテンホルダ１０７とプラテン１０８との間の隙間にはいりこんだ状態を示す動作説明図である。図１２は、プリント用紙１１４が図１１に示す状態において用紙カッタ１１０の移動刃１１０ｂが矢印ｊの方向に移動して切断動作を行った状態を示す動作説明図である。
【０００４】
図９、および図１０を用いて、従来技術の主要構成について説明する。本体１０１に設けられている用紙保持枠体１０６に保持されているロール状のプリント用紙１１４から引き出されたプリント用紙１１４は、プラテン１０８とプリントヘッド１０９との間を通って用紙排出口１０２ｂから排出されるように装填され、用紙端部１１４ａは用紙排出口１０２ｂから外部に突出している。プリント用紙１１４にプリントを行う際には、用紙搬送モータ１１１によってプラテン１０８を矢印ｅの方向に回転させながらプリントヘッド１０９を駆動する。
【０００５】
図１１を用いて、プリント用紙１１４の排出が阻害されて、用紙折曲部１１４ａがプラテンホルダ１０７とプラテン１０８との間の隙間にはいりこむ状態について説明する。用紙搬送モータ１１１によってプラテン１０８を矢印ｅの方向に回転させながらプリントヘッド１０９を駆動している際に、用紙排出口１０２ｂの外部に突出している用紙端部１１４ａが、手指で捕まれるか何らかの障害物に当たる等のように進行が阻害されると、プラテンホルダ１０７とプラテン１０８との間に隙間がある場合、プリント用紙１１４は用紙折曲部１１４ｂが生じて矢印ｈのようにこの隙間にはいりこむ。
【０００６】
図１２を用いて、プリント用紙１１４が図１１に示す状態において用紙カッタ１１０の移動刃１１０ｂが矢印ｊの方向に移動して切断動作を行った状態について説明する。発券プリンタがプリントを終了して、プリント用紙１１４のプリントされた部分は用紙排出口１０２ｂから排出されたものと判断して、プリント用紙１１４を切断するために用紙カッタ１１０の移動刃１１０ｂが矢印ｊの方向に移動すると、プリント用紙１１４は、用紙折曲部１１４ｂでたるんでいるので移動刃１１０ｂに引きずられて用紙折曲部１１４ｃが生じてしまい、移動刃１１０ｂは固定刃１１０ａとの協働によってプリント用紙１１４を切断することができない。また、矢印ｊの方向に移動した移動刃１１０ｂは、固定刃１１０ａとの間にプリント用紙１１４が噛みこんでしまったために矢印ｊの逆の方向に戻ることができない。この状態を解消しようとしてプリント用紙１１４を取り除くために蓋体１０２を矢印ｋの方向に開こうとするが、蓋体１０２に設けられている固定刃１１０ａが移動刃１１０ｂに押さえ込まれているので、蓋体１０２は矢印ｋの方向に開くことができない。
【発明の開示】
【発明が解決しようとする課題】
【０００７】
上述したように、従来の発券プリンタでは、プリント用紙１１４は搬送経路の途中の隙間にはいりこんだ状態で、用紙カッタ１１０がプリント用紙１１４の切断動作を行うと、用紙カッタ１１０は搬送経路の途中の隙間にはいりこんだプリント用紙１１４を切断することができずに、移動刃１１０ｂはプリント用紙１１４を固定刃１１０ａとの間に噛みこんで戻ることができなくなってしまう。このような状態になると、本体１０１に可動刃１１０ｂが設けられ蓋体１０２に固定刃１１０ａが設けられた発券プリンタにおいては、蓋体１０２を開くことができなくなってしまうという不具合があった。
【０００８】
本発明の目的は、構造が簡単にして廉価であり、プリント用紙が搬送路にある隙間にはいりこむことがなく、仮にはいりこんだ場合においても簡単に修復することができる発券プリンタを得ようとするものである。
【課題を解決するための手段】
【０００９】
上記目的を達成するために、本発明においては、本体と、該本体に取り付けられプリント用紙にプリントするためのプリントヘッドと、該プリントヘッドとの間に前記プリント用紙を保持すると共に該プリント用紙を搬送するためのプラテンと、該プラテンを回転自在に保持するプラテンホルダと、前記プラテンに対向して前記プラテンホルダに配設され該プラテンホルダと前記プラテンとの間にはいりこんだ前記プリント用紙を検出するための用紙ジャミング検出手段を有することを特徴とするものである。
【００１０】
また、前記用紙ジャミング検出手段が、前記プラテンホルダと前記プラテンとの間にはいりこんだ前記プリント用紙を検出すると、前記プラテンは前記プリント用紙の搬送を停止するように構成されていることを特徴とするものである。
【００１１】
また、前記用紙ジャミング検出手段は、フォトインタラプタであることを特徴とするものである。
【００１２】
また、前記用紙ジャミング検出手段は、リミットスイッチであることを特徴とするものである。
【００１３】
また、前記プラテンホルダは、前記本体に対して開閉できるように回動自在に取り付けられている蓋体に取り付けられていることを特徴とするものである。
【００１４】
本体と、該本体に取り付けられプリント用紙にプリントするためのプリントヘッドと、前記本体に取り付けられ前記プリント用紙を切断するための移動刃を有する用紙カッタと、前記本体に対して開閉できるように回動自在に取り付けられている蓋体に取り付けられ前記移動刃と協働して前記プリント用紙を切断するための固定刃とを有し、前記用紙カッタには、該用紙カッタの内部に前記プリント用紙が入り込むことを防ぐためのカッタカバーが設けられ、前記蓋体には、前記固定刃の上部に前記プリント用紙が入り込むことを防ぐための固定刃カバーが設けられていると共に、前記蓋体には、前記プリントヘッドとの間に前記プリント用紙を保持すると共に該プリント用紙を搬送するためのプラテンと、該プラテンを回転自在に保持するプラテンホルダと、該プラテンホルダと前記プラテンとの間にはいりこんだ前記プリント用紙を検出するための用紙ジャミング検出手段を有することを特徴とする発券プリンタ。
【００１５】
また、本体と、該本体に取り付けられプリント用紙にプリントするためのプリントヘッドと、該プリントヘッドとの間に前記プリント用紙を保持するためのプラテンと、該プラテンを回転自在に保持するプラテンホルダと、前記プラテンホルダに配設され該プラテンホルダと前記プラテンとの間に前記プリント用紙がはいりこまないように防止するためのジャミング防止部材とを有することを特徴とするものである。
【発明の効果】
【００１６】
プリント用紙にプリントするためのプリントヘッドと、該プリントヘッドとの間に前記プリント用紙を保持すると共に該プリント用紙を搬送するためのプラテンと、該プラテンを回転自在に保持するプラテンホルダと、前記プラテンに対向して前記プラテンホルダに配設され該プラテンホルダと前記プラテンとの間にはいりこんだ前記プリント用紙を検出するための用紙ジャミング検出手段とを有することにより、構造が簡単にして、プリント用紙がジャミングした場合に容易に復帰することができる発券プリンタを得ることができる。
【発明を実施するための最良の形態】
【００１７】
発券プリンタにおいて、本体と、該本体に取り付けられプリント用紙にプリントするためのプリントヘッドと、前記本体に取り付けられ前記プリント用紙を切断するための移動刃を有する用紙カッタと、前記本体に対して開閉できるように回動自在に取り付けられている蓋体に取り付けられ前記移動刃と協働して前記プリント用紙を切断するための固定刃とを有し、前記用紙カッタには、該用紙カッタの内部に前記プリント用紙が入り込むことを防ぐためのカッタカバーが設けられ、前記蓋体には、前記固定刃の上部に前記プリント用紙が入り込むことを防ぐための固定刃カバーが設けられていると共に、前記蓋体には、前記プリントヘッドとの間に前記プリント用紙を保持すると共に該プリント用紙を搬送するためのプラテンと、該プラテンを回転自在に保持するプラテンホルダと、該プラテンホルダと前記プラテンとの間にはいりこんだ前記プリント用紙を検出するための用紙ジャミング検出手段とを設ける。
【実施例】
【００１８】
以下発明の実施の形態を一実施例について図面を参照して説明する。
図１は、本発明に係る一実施例における発券プリンタの外観を示す斜視図である。図２は、図１に示す発券プリンタの断面ＡＡの状態を示す主要断面図である。図３は、図２に示す発券プリンタにロール状のプリント用紙１１４を挿入する状態を示す動作説明図である。図４は、図３に示す発券プリンタの蓋体２を閉じる状態を示す動作説明図である。図５は、図２に示す発券プリンタにロール状のプリント用紙１１４を装填した状態を示す動作説明図である。図６は、図５に示すＢ部を拡大した状態を示すＢ部詳細図である。図７は、図６に示す状態から、プリント用紙１１４を搬送した場合にプリント用紙１１４の一部が折れ曲がりプラテンホルダ７とプラテン８との間にはいりこむ状態を示す動作説明図である。図８は、プラテンホルダ７とプラテン８との間にはいりこんだ用紙折曲部１４ｂを用紙ジャミング検出手段１３が検出したときの状態を示す動作説明図である。
【００１９】
図１、および図２を用いて、本発明に係る一実施例の発券プリンタの概略の構成について説明する。図１に示すように、本体１には蓋体２が蓋体回動支点２ａによって回動可能に支持され、蓋体２は本体１の上部を開閉自在に覆っている。本体１の内部には、枠体ベース４と枠体左５と図示せぬ枠体右によって骨組みが構成されている。枠体左５と図示せぬ枠体右との間には、後述するプリント用紙１４を保持するための用紙保持枠体６、後述するプリント用紙１４にプリントを行うためのプリントヘッド９、プリントされたプリント用紙１４を切断するための用紙カッタ１０、および制御回路および電源回路回路を組み込んだ基板等が取り付けられている。また、枠体左５には、後述するプラテン８を回転駆動するための用紙搬送モータ１１、および用紙搬送モータ１１の回転駆動力を後述するプラテン８に伝達するための歯車輪列が取り付けられており、図示せぬ枠体右には、蓋体２を閉じた状態に錠止し、閉じた状態の蓋体２を解錠するための蓋体解錠レバー３が回動可能に取り付けられている。
【００２０】
蓋体２には、プラテンホルダ７が取り付けられ、プラテンホルダ７には、プリント用紙１４を搬送すると共に、プリントヘッド９のプリント用紙１４への押圧力を受けるためのプラテン８が回転自在に取り付けられている。また、後述する用紙カッタ１０の移動刃１０ｂと協働してプリント用紙１４を切断するための後述する固定刃１０ａが取り付けられている。
【００２１】
図３、図４および図５を用いて、図２に示す発券プリンタにプリント用紙１４を装填する状態について説明する。発券プリンタにプリント用紙１４を装填するには、まず、図３に示すように蓋体解錠レバー３を操作して矢印ｃの方向に回動させると蓋体２は解錠される。次いで、蓋体２を矢印ａの方向に回動させて開き、ロール状のプリント用紙１４を矢印ｂの方向から用紙保持枠体６に載置する。その際、用紙端部１４ａを用紙排出口２ｂの外に残した状態にする。更に、図４に示すように用紙端部１４ａを用紙排出口２ｂの外に維持したまま蓋体２を矢印ｄの方向に回動させて閉じて図５の状態とする。
【００２２】
図６、図７および図８を用いて、プリント用紙１４がジャミングする状態について説明する。装填されたプリント用紙１４にプリントを行うために、図６に示すように用紙搬送モータ１１がプラテン８を矢印ｅの方向に回転駆動すると、プリント用紙１４は矢印ｆの方向に搬送される。プラテンホルダ７には、プリント用紙１４がプラテンホルダ７とプラテン８との間に入り込むことを防ぐためのジャミング防止部材１２が取り付けられ、用紙カッタ１０には、プリント用紙１４が用紙カッタ１０の内部に入り込むことを防ぐためのカッタカバー１０ｃが取り付けられ、蓋体２の用紙排出口２ｂには、プリント用紙１４が用紙カッタ１０の固定刃１０ａの上部の隙間に入り込むことを防ぐための固定刃カバー２ｃが取り付けられている。
【００２３】
プリント用紙１４が矢印ｆの方向に搬送されている際に、用紙排出口２ｂの外部に突出している用紙端部１４ａが、手指で捕まれるか何らかの障害物に当たる等のように、プリント用紙１４の進行が阻害されると、ジャミング防止部材１２がプラテンホルダ７とプラテン８との間にプリント用紙１４が入り込むことを防ぐように設けられているにもかかわらず、プリント用紙１４は、図７に示すようにプラテンホルダ７とプラテン８との間の隙間にはいりこみ、用紙折曲部１４ｂが形成されて矢印ｇのように進入するおそれがある。
【００２４】
プリント用紙１４は用紙折曲部１４ｂとなって矢印ｇのように進入し、更に図８に示す矢印ｈのように進入して、発光素子と受光素子とにより構成されているフォトインタラプタである用紙ジャミング検出手段１３に対向する位置まで来ると、用紙ジャミング検出手段１３は、図示せぬ制御回路にプリント用紙１４がジャミングしたことを知らせる信号を発信する。プリント用紙１４がジャミングしたことを知らせる信号を受信した図示せぬ制御回路は、直ちに、発券プリンタのすべての動作を停止させると共に、発光あるいは発音等により緊急停止信号を発する。なお、プリント用紙１４の進行が阻害されても、用紙カッタ１０には、カッタカバー１０ｃが取り付けられているのでプリント用紙１４が用紙カッタ１０の内部に入り込むことはなく、蓋体２の用紙排出口２ｂには、固定刃カバー２ｃが取り付けられているのでプリント用紙１４が用紙カッタ１０の固定刃１０ａの上部の隙間に入り込むことはないので、プラテンホルダ７とプラテン８との間に入り込んだプリント用紙１４を検出するための用紙ジャミング検出手段１３だけ設けておけばよい。
【００２５】
従って、前述した従来例のように、用紙カッタ１０の移動刃１０ｂが出てきて固定刃１０ａとの間にプリント用紙１４を噛みこんで戻ることができないというようなことにはならない。従って、蓋体２を開いて容易にプリント用紙１４を取り除くことができる。
【図面の簡単な説明】
【００２６】
【図１】本発明に係る一実施例における発券プリンタの外観を示す斜視図である。
【図２】図１に示す発券プリンタの断面ＡＡの状態を示す主要断面図である。
【図３】図２に示す発券プリンタにロール状のプリント用紙１４を挿入する状態を示す動作説明図である。
【図４】図３に示す発券プリンタの蓋体２を閉じる状態を示す動作説明図である。
【図５】図２に示す発券プリンタにロール状のプリント用紙１４を装填した状態を示す動作説明図である。
【図６】図５に示すＢ部を拡大した状態を示すＢ部詳細図である。
【図７】図６に示す状態から、プリント用紙１１４を搬送した場合にプリント用紙１４の一部が折れ曲がりプラテンホルダ７とプラテン８との間にはいりこむ状態を示す動作説明図である。
【図８】プラテンホルダ７とプラテン８との間にはいりこんだ用紙折曲部１４ｂを用紙ジャミング検出手段１３が検出したときの状態を示す動作説明図である。
【図９】従来におけるロール紙プリント装置の主要な断面の状態を示す主要断面図である。
【図１０】図９に示す矢視Ｃの状態を拡大して示す断面詳細図である。
【図１１】プリント用紙１１４の排出が阻害されて、用紙折曲部１１４ｂがプラテンホルダ１０７とプラテン１０８との間の隙間にはいりこんだ状態を示す動作説明図である。
【図１２】プリント用紙１１４が図１１に示す状態において用紙カッタ１１０の移動刃１１０ｂが矢印ｊの方向に移動して切断動作を行った状態を示す動作説明図である。
【符号の説明】
【００２７】
１  本体
２  蓋体
２ａ  蓋体回動支点
２ｂ  用紙排出口
２ｃ  固定刃カバー
３  蓋体解錠レバー
４  枠体ベース
５  枠体左
６  用紙保持枠体
７  プラテンホルダ
８  プラテン
９  プリントヘッド
１０  用紙カッタ
１０ａ  固定刃
１０ｂ  移動刃
１０ｃ  カッタカバー
１１  用紙搬送モータ
１２  ジャミング防止部材
１３  用紙ジャミング検出手段
１４  プリント用紙
１４ａ  用紙端部
１４ｂ  用紙折曲部
【図１】
2005246906.tif 000003
【図２】
2005246906.tif 000004
【図３】
2005246906.tif 000005
【図４】
2005246906.tif 000006
【図５】
2005246906.tif 000007
【図６】
2005246906.tif 000008
【図７】
2005246906.tif 000009
【図８】
2005246906.tif 000010
【図９】
2005246906.tif 000011
【図１０】
2005246906.tif 000012
【図１１】
2005246906.tif 000013
【図１２】
2005246906.tif 000014